【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
画像データに基づいて光源から照射されるレーザ光を感光体に向けて反射する可動ミラーを往復動作して、前記可動ミラーにより反射されたレーザ光で前記感光体を主走査方向に往復走査することにより、前記感光体上に画像を形成する画像形成装置であって、
前記可動ミラーの回転方向を検出する回転方向検出手段と、
前記感光体を主走査方向に走査するレーザ光を検出するレーザ光検出手段と、
前記画像データを補正し、該補正された画像データをレーザ光の照射を制御するため前記光源に出力する画像補正手段とを備え、
前記画像補正手段は、前記回転方向検出手段により検出された前記可動ミラーの回転方向と前記レーザ光検出手段により検出されたレーザ光の検出とに基づき、主走査方向の１ラインの往路または復路のレーザ走査開始後の走査時間に比例して重み付け係数を変化させ、変化する重み付け係数で主走査方向に垂直の副走査方向に隣接する２ラインの画像データを重み付けすることで、主走査方向の１ラインの往路または復路のレーザ走査のための補正された画像データを発生して、前記可動ミラーを使って形成する画像を補正することを特徴とする画像形成装置。
【請求項２】
前記感光体の回転速度を検出する第１回転速度検出手段と、
前記可動ミラーの回転角速度を検出する第２回転速度検出手段と、
前記レーザ光検出手段によるレーザ光の検出に基づいて、往路または復路のレーザ走査開始後に経過した走査時間を計測するタイマとを更に有し、
前記画像補正手段は、前記感光体の回転速度と、前記可動ミラーの回転速度と、前記可動ミラーの回転方向と、前記タイマにより測定された走査時間とに基づいて、前記重み付け係数を算出する重み付け係数算出手段を有することを特徴とする請求項１に記載の画像形成装置。
【請求項３】
前記レーザ光検出手段は、異なる位置に配置されて、往路または復路のレーザ走査開始のタイミングを制御するためにレーザ光を検出する少なくとも２つの検出手段を備えていることを特徴とする請求項１又は２に記載の画像形成装置。
【請求項４】
前記画像補正手段は、前記可動ミラーの回転方向に応じて、画像データの出力方式を、順方向で読み込んだデータを順方向で出力するＦＩＦＯ方式と順方向で読み込んだデータを逆方向で出力するＬＩＦＯ方式とから選択するデータ出力方式選択手段を備えていることを特徴とする請求項１又は２に記載の画像形成装置。
【請求項５】
画像データに基づいて光源から照射されるレーザ光を感光体に向けて反射する可動ミラーを往復動作して、前記可動ミラーにより反射されたレーザ光で前記感光体を主走査方向に往復走査することにより、前記感光体上に画像を形成する画像形成装置の制御方法であって、
前記可動ミラーの回転方向を検出する第１検出工程と、
前記感光体を主走査方向に走査するレーザ光を検出する第２検出手段と、
前記画像データを補正し、該補正された画像データをレーザ光の照射を制御するため前記光源に出力する補正工程とを備え、
前記補正工程では、前記第１検出工程で検出された前記可動ミラーの回転方向と前記第２検出工程で検出されたレーザ光の検出とに基づき、主走査方向の１ラインの往路または復路のレーザ走査開始後の走査時間に比例して重み付け係数を変化させ、変化する重み付け係数で主走査方向に垂直の副走査方向に隣接する２ラインの画像データを重み付けすることで、主走査方向の１ラインの往路または復路のレーザ走査のための補正された画像データを発生して、前記可動ミラーを使って形成する画像を補正することを特徴とする画像形成装置の制御方法。
【手続補正２】
【補正対象書類名】明細書
【補正対象項目名】０００７
【補正方法】変更
【補正の内容】
【０００７】
上記問題点を解決するために、本発明の画像形成装置は、画像データに基づいて光源から照射されるレーザ光を感光体に向けて反射する可動ミラーを往復動作して、前記可動ミラーにより反射されたレーザ光で前記感光体を主走査方向に往復走査することにより、前記感光体上に画像を形成する画像形成装置であって、前記可動ミラーの回転方向を検出する回転方向検出手段と、前記感光体を主走査方向に走査するレーザ光を検出するレーザ光検出手段と、前記画像データを補正し、該補正された画像データをレーザ光の照射を制御するため前記光源に出力する画像補正手段とを備え、前記画像補正手段は、前記回転方向検出手段により検出された前記可動ミラーの回転方向と前記レーザ光検出手段により検出されたレーザ光の検出とに基づき、主走査方向の１ラインの往路または復路のレーザ走査開始後の走査時間に比例して重み付け係数を変化させ、変化する重み付け係数で主走査方向に垂直の副走査方向に隣接する２ラインの画像データを重み付けすることで、主走査方向の１ラインの往路または復路のレーザ走査のための補正された画像データを発生して、前記可動ミラーを使って形成する画像を補正することを特徴とする。
【手続補正３】
【補正対象書類名】明細書
【補正対象項目名】０００８
【補正方法】変更
【補正の内容】
【０００８】
ここで、前記感光体の回転速度を検出する第１回転速度検出手段と、前記可動ミラーの回転角速度を検出する第２回転速度検出手段と、前記レーザ光検出手段によるレーザ光の検出に基づいて、往路または復路のレーザ走査開始後に経過した走査時間を計測するタイマとを更に有し、前記画像補正手段は、前記感光体の回転速度と、前記可動ミラーの回転速度と、前記可動ミラーの回転方向と、前記タイマにより測定された走査時間とに基づいて、前記重み付け係数を算出する重み付け係数算出手段を有する。また、前記レーザ光検出手段は、異なる位置に配置されて、往路または復路のレーザ走査開始のタイミングを制御するためにレーザ光を検出する少なくとも２つの検出手段を備えている。また、前記画像補正手段は、前記可動ミラーの回転方向に応じて、画像データの出力方式を、順方向で読み込んだデータを順方向で出力するＦＩＦＯ方式と順方向で読み込んだデータを逆方向で出力するＬＩＦＯ方式とから選択するデータ出力方式選択手段を備えている。
【手続補正４】
【補正対象書類名】明細書
【補正対象項目名】０００９
【補正方法】変更
【補正の内容】
【０００９】
又、本発明の画像形成装置の制御方法は、画像データに基づいて光源から照射されるレーザ光を感光体に向けて反射する可動ミラーを往復動作して、前記可動ミラーにより反射されたレーザ光で前記感光体を主走査方向に往復走査することにより、前記感光体上に画像を形成する画像形成装置の制御方法であって、前記可動ミラーの回転方向を検出する第１検出工程と、前記感光体を主走査方向に走査するレーザ光を検出する第２検出手段と、前記画像データを補正し、該補正された画像データをレーザ光の照射を制御するため前記光源に出力する補正工程とを備え、前記補正工程では、前記第１検出工程で検出された前記可動ミラーの回転方向と前記第２検出工程で検出されたレーザ光の検出とに基づき、主走査方向の１ラインの往路または復路のレーザ走査開始後の走査時間に比例して重み付け係数を変化させ、変化する重み付け係数で主走査方向に垂直の副走査方向に隣接する２ラインの画像データを重み付けすることで、主走査方向の１ラインの往路または復路のレーザ走査のための補正された画像データを発生して、前記可動ミラーを使って形成する画像を補正することを特徴とする。